【手続補正書】
【提出日】平成29年3月15日(2017.3.15)
【手続補正１】
【補正対象書類名】特許請求の範囲
【補正対象項目名】全文
【補正方法】変更
【補正の内容】
【特許請求の範囲】
【請求項１】
電子文書生成システムであって、
原稿のスキャン画像を生成する画像形成装置と、
第１のアプリケーションを実行することによって、前記画像形成装置から受信した前記スキャン画像に基づき電子文書を生成する外部端末と、
を備え、
前記外部端末は、
前記画像形成装置で生成された前記スキャン画像を取得する取得手段と、
前記スキャン画像の文字領域から複数の部分領域を抽出する抽出手段と、
前記スキャン画像内における前記複数の部分領域の位置をそれぞれ検出する検出手段と、
電子文書生成に関連する少なくとも１つの処理を前記複数の部分領域のそれぞれに関して行うべき旨の指示と前記複数の部分領域のそれぞれに関する画像データとを、前記第１のアプリケーションから第２のアプリケーションに送出する指示送出手段と、
前記複数の部分領域のそれぞれに関する前記少なくとも１つの処理の各処理結果を前記第２のアプリケーションから受け取る受取手段と、
前記各処理結果に係るテキスト情報を、前記各処理結果にそれぞれ対応する部分領域の検出位置に配置して、前記電子文書を生成する生成手段と、
を有し、
前記抽出手段は、前記文字領域における複数行のうちの注目行内において複数の小領域を抽出し、当該複数の小領域を互いに異なる部分領域として区別して前記複数の部分領域を抽出することを特徴とする電子文書生成システム。
【請求項２】
第１のアプリケーションを実行することによって、画像形成装置から受信したスキャン画像に基づき電子文書を生成する通信端末であって、
前記画像形成装置で生成された前記スキャン画像を取得する取得手段と、
前記スキャン画像の文字領域から複数の部分領域を抽出する抽出手段と、
前記スキャン画像内における前記複数の部分領域の位置をそれぞれ検出する検出手段と、
電子文書生成に関連する少なくとも１つの処理を前記複数の部分領域のそれぞれに関して行うべき旨の指示と前記複数の部分領域のそれぞれに関する画像データとを、前記第１のアプリケーションから第２のアプリケーションに送出する指示送出手段と、
前記複数の部分領域のそれぞれに関する前記少なくとも１つの処理の各処理結果を前記第２のアプリケーションから受け取る受取手段と、
前記各処理結果に係るテキスト情報を、前記各処理結果にそれぞれ対応する部分領域の検出位置に配置して、前記電子文書を生成する生成手段と、
を備え、
前記抽出手段は、前記文字領域における複数行のうちの注目行内において複数の小領域を抽出し、当該複数の小領域を互いに異なる部分領域として区別して前記複数の部分領域を抽出することを特徴とする通信端末。
【請求項３】
請求項２に記載の通信端末において、
前記抽出手段は、前記文字領域における複数行のうちの注目行に関して、前記注目行内における注目文字と前記注目文字の直後の文字との間隔である第１の間隔が、前記注目行に隣接する隣接行と前記注目行との間隔である第２の間隔よりも所定程度を超えて大きい場合には、前記注目文字を含む小領域と前記注目文字の直後の文字を含む小領域とを互いに異なる部分領域として抽出することを特徴とする通信端末。
【請求項４】
請求項２に記載の通信端末において、
前記抽出手段は、前記文字領域における複数行のうちの注目行に関して、前記注目行内における注目文字と前記注目文字の直後の文字との間隔である第１の間隔が、前記注目文字と前記注目文字の直前の文字との間隔である第２の間隔よりも所定程度を超えて大きい場合には、前記注目文字と前記注目文字の直前の文字とを含む小領域と、前記注目文字の直後の文字を含む小領域とを、互いに異なる部分領域として抽出することを特徴とする通信端末。
【請求項５】
請求項２に記載の通信端末において、
前記抽出手段は、前記文字領域における複数行のうちの注目行に関して、前記注目行内における注目文字のサイズと前記注目文字の直後の文字のサイズとが所定程度を超えて異なる場合には、前記注目文字を含む小領域と前記注目文字の直後の文字を含む小領域とを互いに異なる部分領域として抽出することを特徴とする通信端末。
【請求項６】
請求項２に記載の通信端末において、
前記抽出手段は、前記文字領域における複数行のうちの注目行に関して、前記注目行内における注目文字の行方向に垂直な第１の方向における位置と前記注目文字の直後の文字の前記第１の方向における位置とが所定程度を超えてずれている場合には、前記注目文字を含む小領域と前記注目文字の直後の文字を含む小領域とを互いに異なる部分領域として抽出することを特徴とする通信端末。
【請求項７】
請求項２ないし請求項６のいずれかに記載の通信端末において、
前記指示送出手段は、前記複数の部分領域のそれぞれの画像データである複数の部分画像データのそれぞれに前記複数の部分領域の各識別情報を画像化して付加した複数の拡張部分画像データを生成し、当該複数の拡張部分画像データのそれぞれを、前記複数の部分領域のそれぞれに関する画像データとして、前記第１のアプリケーションから前記第２のアプリケーションに送出し、
前記受取手段は、前記複数の拡張部分画像データのそれぞれに関する前記少なくとも１つの処理の各処理結果を前記第２のアプリケーションから受け取り、
前記生成手段は、前記各処理結果からそれぞれ前記各識別情報を抽出し、前記各処理結果に対応する各部分領域を前記各識別情報に基づいてそれぞれ識別し、前記各処理結果から前記各識別情報をそれぞれ除いたテキスト情報を、識別された前記各部分領域の検出位置に配置して、前記電子文書を生成することを特徴とする通信端末。
【請求項８】
請求項２ないし請求項６のいずれかに記載の通信端末において、
前記指示送出手段は、前記複数の部分領域のそれぞれに関する画像データである複数のデータファイルのそれぞれに、互いに異なる識別情報を含む固有のファイル名を付し、当該複数のデータファイルを前記第１のアプリケーションから前記第２のアプリケーションに送出し、
前記受取手段は、前記複数のデータファイルのそれぞれに関する前記少なくとも１つの処理の各処理結果を複数の新たなデータファイルとして、前記第２のアプリケーションから受け取り、
前記複数の新たなデータファイルのファイル名は、前記複数のデータファイルのうち対応するデータファイルのファイル名に付された前記識別情報をその一部に含み、
前記生成手段は、前記複数の新たなデータファイルのファイル名に含まれる前記識別情報に基づいて、前記各処理結果に対応する各部分領域を識別し、前記各処理結果に係るテキスト情報を、前記各処理結果に対応する前記各部分領域の検出位置に配置して、前記電子文書を生成することを特徴とする通信端末。
【請求項９】
請求項２ないし請求項８のいずれかに記載の通信端末において、
前記生成手段は、前記複数の部分領域のそれぞれについての前記処理結果に係るテキスト情報を、前記複数の部分領域のそれぞれの検出位置に非表示状態で埋め込んで、前記電子文書を生成することを特徴とする通信端末。
【請求項１０】
請求項２ないし請求項８のいずれかに記載の通信端末において、
前記生成手段は、前記スキャン画像における文字領域の画像を削除するとともに、前記複数の部分領域のそれぞれについての前記処理結果に係るテキスト情報を、前記複数の部分領域のそれぞれの検出位置に表示状態で埋め込んで、前記電子文書を生成することを特徴とする通信端末。
【請求項１１】
請求項２ないし請求項８のいずれかに記載の通信端末において、
前記少なくとも１つの処理は、光学文字認識処理と当該光学文字認識処理の結果に対する翻訳処理とを含む複数の処理であり、
前記生成手段は、前記スキャン画像における文字領域の画像を削除するとともに、前記複数の部分領域のそれぞれについての前記処理結果である翻訳結果に係るテキスト情報を、前記複数の部分領域のそれぞれの検出位置に表示状態で埋め込んで、前記電子文書を生成することを特徴とする通信端末。
【請求項１２】
請求項２ないし請求項１１のいずれかに記載の通信端末において、
前記第２のアプリケーションは、前記画像形成装置とも前記通信端末とも異なる外部装置にインストールされていることを特徴とする通信端末。
【請求項１３】
請求項２ないし請求項１１のいずれかに記載の通信端末において、
前記第２のアプリケーションは、前記第１のアプリケーションとともに前記通信端末にインストールされていることを特徴とする通信端末。
【請求項１４】
画像形成装置と通信可能な通信端末に内蔵されたコンピュータにおいて、前記画像形成装置から受信したスキャン画像に基づく電子文書の生成処理を実行させるためのプログラムであって、
前記プログラムは、前記コンピュータに、
ａ）前記画像形成装置で生成された前記スキャン画像を取得するステップと、
ｂ）前記スキャン画像の文字領域から部分領域を抽出するステップと、
ｃ）前記スキャン画像内における前記部分領域の位置を検出するステップと、
ｄ）前記部分領域に関して電子文書生成に関連する少なくとも１つの処理を行うべき旨の指示と前記部分領域に関する画像データとを、前記プログラムである第１のアプリケーションから前記第１のアプリケーションとは別の第２のアプリケーションに送出するステップと、
ｅ）前記少なくとも１つの処理の処理結果を前記第２のアプリケーションから受け取るステップと、
ｆ）前記部分領域についての前記処理結果に係るテキスト情報を前記部分領域の検出位置に配置するステップと、
ｇ）前記スキャン画像の前記文字領域内の複数の部分領域に関して前記ステップｂ）〜ｆ）を実行することによって、前記電子文書を生成するステップと、
を実行させ、
前記ステップｇ）においては、前記文字領域における複数行のうちの注目行内において複数の小領域が抽出されるとともに、当該複数の小領域を互いに異なる部分領域として区別して前記複数の部分領域が抽出されることを特徴とするプログラム。
【請求項１５】
請求項１４に記載のプログラムにおいて、
前記ステップｂ）においては、前記文字領域における複数行のうちの注目行に関して、前記注目行内における注目文字と前記注目文字の直後の文字との間隔である第１の間隔が、前記注目行に隣接する隣接行と前記注目行との間隔である第２の間隔よりも所定程度を超えて大きい場合には、前記注目文字を含む小領域と前記注目文字の直後の文字を含む小領域とが互いに異なる部分領域として抽出されることを特徴とするプログラム。
【請求項１６】
請求項１４に記載のプログラムにおいて、
前記ステップｂ）においては、前記文字領域における複数行のうちの注目行に関して、前記注目行内における注目文字と前記注目文字の直後の文字との間隔である第１の間隔が、前記注目文字と前記注目文字の直前の文字との間隔である第２の間隔よりも所定程度を超えて大きい場合には、前記注目文字と前記注目文字の直前の文字とを含む小領域と、前記注目文字の直後の文字を含む小領域とが、互いに異なる部分領域として抽出されることを特徴とするプログラム。
【請求項１７】
請求項１４に記載のプログラムにおいて、
前記ステップｂ）においては、前記文字領域における複数行のうちの注目行に関して、前記注目行内における注目文字のサイズと前記注目文字の直後の文字のサイズとが所定程度を超えて異なる場合には、前記注目文字を含む小領域と前記注目文字の直後の文字を含む小領域とが互いに異なる部分領域として抽出されることを特徴とするプログラム。
【請求項１８】
請求項１４に記載のプログラムにおいて、
前記ステップｂ）においては、前記文字領域における複数行のうちの注目行に関して、前記注目行内における注目文字の行方向に垂直な第１の方向における位置と前記注目文字の直後の文字の前記第１の方向における位置とが所定程度を超えてずれている場合には、前記注目文字を含む小領域と前記注目文字の直後の文字を含む小領域とが互いに異なる部分領域として抽出されることを特徴とするプログラム。
【請求項１９】
請求項１４ないし請求項１８のいずれかに記載のプログラムにおいて、
前記ステップｄ）は、
ｄ−１）前記部分領域の画像データである部分画像データに前記部分領域の識別情報を画像化して付加した拡張部分画像データを生成するステップと、
ｄ−２）前記拡張部分画像データを、前記部分領域に関する画像データとして、前記第１のアプリケーションから前記第２のアプリケーションに送出するステップと、
を有し、
前記ステップｅ）は、
ｅ−１）前記拡張部分画像データに関する前記少なくとも１つの処理の処理結果を前記第２のアプリケーションから受け取るステップ、
を有し、
前記ステップｆ）は、
ｆ−１）前記処理結果から前記識別情報を抽出するステップと、
ｆ−２）前記処理結果に対応する部分領域である対応部分領域を前記識別情報に基づいて識別するステップと、
ｆ−３）前記処理結果から前記識別情報を除いたテキスト情報を、前記対応部分領域の検出位置に配置するステップと、
を有することを特徴とするプログラム。
【請求項２０】
請求項１４ないし請求項１８のいずれかに記載のプログラムにおいて、
前記ステップｄ）は、
ｄ−１）前記部分領域に関する画像データのデータファイルに、互いに異なる識別情報を含む固有のファイル名を付するステップと、
ｄ−２）前記データファイルを前記第１のアプリケーションから前記第２のアプリケーションに送出するステップと、
を有し、
前記ステップｅ）は、
ｅ−１）前記データファイルに関する前記少なくとも１つの処理の処理結果を新たなデータファイルとして、前記第２のアプリケーションから受け取るステップ、
を有し、
前記新たなデータファイルのファイル名は、前記新たなデータファイルに対応する前記データファイルのファイル名に付された前記識別情報をその一部に含み、
前記ステップｆ）は、
ｆ−１）前記新たなデータファイルのファイル名から前記識別情報を抽出するステップと、
ｆ−２）前記ステップｆ−１）で抽出された前記識別情報に基づいて、前記処理結果に対応する部分領域である対応部分領域を識別するステップと、
ｆ−３）前記処理結果に係るテキスト情報を、前記対応部分領域の検出位置に配置するステップと、
を有することを特徴とするプログラム。
【請求項２１】
請求項１４ないし請求項２０のいずれかに記載のプログラムにおいて、
前記ステップｇ）においては、前記複数の部分領域のそれぞれに関する前記少なくとも１つの処理の各処理結果に係るテキスト情報が、前記複数の部分領域のそれぞれの検出位置に非表示状態で埋め込まれて前記電子文書が生成されることを特徴とするプログラム。
【請求項２２】
請求項１４ないし請求項２０のいずれかに記載のプログラムにおいて、
前記ステップｇ）においては、前記スキャン画像における前記文字領域の画像が削除されるとともに、前記複数の部分領域のそれぞれに関する前記少なくとも１つの処理の各処理結果に係るテキスト情報が、前記複数の部分領域のそれぞれの検出位置に表示状態で埋め込まれて、前記電子文書が生成されることを特徴とするプログラム。
【請求項２３】
請求項１４ないし請求項２０のいずれかに記載のプログラムにおいて、
前記少なくとも１つの処理は、光学文字認識処理と当該光学文字認識処理の結果に対する翻訳処理とを含む複数の処理であり、
前記ステップｇ）においては、前記スキャン画像における文字領域の画像が削除されるとともに、前記複数の部分領域のそれぞれに関する前記少なくとも１つの処理の各処理結果である翻訳結果に係るテキスト情報が、前記複数の部分領域のそれぞれの検出位置に表示状態で埋め込まれて、前記電子文書が生成されることを特徴とするプログラム。
【請求項２４】
請求項１４ないし請求項２３のいずれかに記載のプログラムにおいて、
前記第２のアプリケーションは、前記画像形成装置とも前記通信端末とも異なる外部装置にインストールされていることを特徴とするプログラム。
【請求項２５】
請求項１４ないし請求項２３のいずれかに記載のプログラムにおいて、
前記第２のアプリケーションは、前記第１のアプリケーションとともに前記通信端末にインストールされていることを特徴とするプログラム。
【請求項２６】
電子文書生成システムであって、
原稿のスキャン画像を生成するとともに、第１のアプリケーションを実行することによって、前記スキャン画像に基づき電子文書を生成する画像形成装置と、
第２のアプリケーションによるサービスを提供する外部サーバと、
を備え、
前記画像形成装置は、
前記スキャン画像を生成する生成手段と、
前記スキャン画像の文字領域から複数の部分領域を抽出する抽出手段と、
前記スキャン画像内における前記複数の部分領域の位置をそれぞれ検出する検出手段と、
電子文書生成に関連する少なくとも１つの処理を前記複数の部分領域のそれぞれに関して行うべき旨の指示と前記複数の部分領域のそれぞれに関する画像データとを、前記第１のアプリケーションから第２のアプリケーションに送出する指示送出手段と、
前記複数の部分領域のそれぞれに関する前記少なくとも１つの処理の各処理結果を前記第２のアプリケーションから受け取る受取手段と、
前記各処理結果に係るテキスト情報を、前記各処理結果にそれぞれ対応する部分領域の検出位置に配置して、前記電子文書を生成する生成手段と、
を有し、
前記抽出手段は、前記文字領域における複数行のうちの注目行内において複数の小領域を抽出し、当該複数の小領域を互いに異なる部分領域として区別して前記複数の部分領域を抽出することを特徴とする電子文書生成システム。
【請求項２７】
原稿のスキャン画像を生成するとともに、第１のアプリケーションを実行することによって、前記スキャン画像に基づき電子文書を生成する画像形成装置であって、
前記スキャン画像を生成する生成手段と、
前記スキャン画像の文字領域から複数の部分領域を抽出する抽出手段と、
前記スキャン画像内における前記複数の部分領域の位置をそれぞれ検出する検出手段と、
電子文書生成に関連する少なくとも１つの処理を前記複数の部分領域のそれぞれに関して行うべき旨の指示と前記複数の部分領域のそれぞれに関する画像データとを、前記第１のアプリケーションから、外部サーバにて実行される第２のアプリケーションに送出する指示送出手段と、
前記複数の部分領域のそれぞれに関する前記少なくとも１つの処理の各処理結果を前記第２のアプリケーションから受け取る受取手段と、
前記各処理結果に係るテキスト情報を、前記各処理結果にそれぞれ対応する部分領域の検出位置に配置して、前記電子文書を生成する生成手段と、
を備え、
前記抽出手段は、前記文字領域における複数行のうちの注目行内において複数の小領域を抽出し、当該複数の小領域を互いに異なる部分領域として区別して前記複数の部分領域を抽出することを特徴とする画像形成装置。
【手続補正２】
【補正対象書類名】明細書
【補正対象項目名】００１１
【補正方法】変更
【補正の内容】
【００１１】
上記課題を解決すべく、請求項１の発明は、電子文書生成システムであって、原稿のスキャン画像を生成する画像形成装置と、第１のアプリケーションを実行することによって、前記画像形成装置から受信した前記スキャン画像に基づき電子文書を生成する外部端末と、を備え、前記外部端末は、前記画像形成装置で生成された前記スキャン画像を取得する取得手段と、前記スキャン画像の文字領域から複数の部分領域を抽出する抽出手段と、前記スキャン画像内における前記複数の部分領域の位置をそれぞれ検出する検出手段と、電子文書生成に関連する少なくとも１つの処理を前記複数の部分領域のそれぞれに関して行うべき旨の指示と前記複数の部分領域のそれぞれに関する画像データとを、前記第１のアプリケーションから第２のアプリケーションに送出する指示送出手段と、前記複数の部分領域のそれぞれに関する前記少なくとも１つの処理の各処理結果を前記第２のアプリケーションから受け取る受取手段と、前記各処理結果に係るテキスト情報を、前記各処理結果にそれぞれ対応する部分領域の検出位置に配置して、前記電子文書を生成する生成手段と、を有し、前記抽出手段は、前記文字領域における複数行のうちの注目行内において複数の小領域を抽出し、当該複数の小領域を互いに異なる部分領域として区別して前記複数の部分領域を抽出することを特徴とする。
【手続補正３】
【補正対象書類名】明細書
【補正対象項目名】００１２
【補正方法】変更
【補正の内容】
【００１２】
請求項２の発明は、第１のアプリケーションを実行することによって、画像形成装置から受信したスキャン画像に基づき電子文書を生成する通信端末であって、前記画像形成装置で生成された前記スキャン画像を取得する取得手段と、前記スキャン画像の文字領域から複数の部分領域を抽出する抽出手段と、前記スキャン画像内における前記複数の部分領域の位置をそれぞれ検出する検出手段と、電子文書生成に関連する少なくとも１つの処理を前記複数の部分領域のそれぞれに関して行うべき旨の指示と前記複数の部分領域のそれぞれに関する画像データとを、前記第１のアプリケーションから第２のアプリケーションに送出する指示送出手段と、前記複数の部分領域のそれぞれに関する前記少なくとも１つの処理の各処理結果を前記第２のアプリケーションから受け取る受取手段と、前記各処理結果に係るテキスト情報を、前記各処理結果にそれぞれ対応する部分領域の検出位置に配置して、前記電子文書を生成する生成手段と、を備え、前記抽出手段は、前記文字領域における複数行のうちの注目行内において複数の小領域を抽出し、当該複数の小領域を互いに異なる部分領域として区別して前記複数の部分領域を抽出することを特徴とする。
【手続補正４】
【補正対象書類名】明細書
【補正対象項目名】００１３
【補正方法】削除
【補正の内容】
【手続補正５】
【補正対象書類名】明細書
【補正対象項目名】００１４
【補正方法】削除
【補正の内容】
【手続補正６】
【補正対象書類名】明細書
【補正対象項目名】００１５
【補正方法】削除
【補正の内容】
【手続補正７】
【補正対象書類名】明細書
【補正対象項目名】００１６
【補正方法】変更
【補正の内容】
【００１６】
請求項３の発明は、請求項２の発明に係る通信端末において、前記抽出手段は、前記文字領域における複数行のうちの注目行に関して、前記注目行内における注目文字と前記注目文字の直後の文字との間隔である第１の間隔が、前記注目行に隣接する隣接行と前記注目行との間隔である第２の間隔よりも所定程度を超えて大きい場合には、前記注目文字を含む小領域と前記注目文字の直後の文字を含む小領域とを互いに異なる部分領域として抽出することを特徴とする。
【手続補正８】
【補正対象書類名】明細書
【補正対象項目名】００１７
【補正方法】変更
【補正の内容】
【００１７】
請求項４の発明は、請求項２の発明に係る通信端末において、前記抽出手段は、前記文字領域における複数行のうちの注目行に関して、前記注目行内における注目文字と前記注目文字の直後の文字との間隔である第１の間隔が、前記注目文字と前記注目文字の直前の文字との間隔である第２の間隔よりも所定程度を超えて大きい場合には、前記注目文字と前記注目文字の直前の文字とを含む小領域と、前記注目文字の直後の文字を含む小領域とを、互いに異なる部分領域として抽出することを特徴とする。
【手続補正９】
【補正対象書類名】明細書
【補正対象項目名】００１８
【補正方法】変更
【補正の内容】
【００１８】
請求項５の発明は、請求項２の発明に係る通信端末において、前記抽出手段は、前記文字領域における複数行のうちの注目行に関して、前記注目行内における注目文字のサイズと前記注目文字の直後の文字のサイズとが所定程度を超えて異なる場合には、前記注目文字を含む小領域と前記注目文字の直後の文字を含む小領域とを互いに異なる部分領域として抽出することを特徴とする。
【手続補正１０】
【補正対象書類名】明細書
【補正対象項目名】００１９
【補正方法】変更
【補正の内容】
【００１９】
請求項６の発明は、請求項２の発明に係る通信端末において、前記抽出手段は、前記文字領域における複数行のうちの注目行に関して、前記注目行内における注目文字の行方向に垂直な第１の方向における位置と前記注目文字の直後の文字の前記第１の方向における位置とが所定程度を超えてずれている場合には、前記注目文字を含む小領域と前記注目文字の直後の文字を含む小領域とを互いに異なる部分領域として抽出することを特徴とする。
【手続補正１１】
【補正対象書類名】明細書
【補正対象項目名】００２０
【補正方法】削除
【補正の内容】
【手続補正１２】
【補正対象書類名】明細書
【補正対象項目名】００２１
【補正方法】変更
【補正の内容】
【００２１】
請求項７の発明は、請求項２ないし請求項６のいずれかの発明に係る通信端末において、前記指示送出手段は、前記複数の部分領域のそれぞれの画像データである複数の部分画像データのそれぞれに前記複数の部分領域の各識別情報を画像化して付加した複数の拡張部分画像データを生成し、当該複数の拡張部分画像データのそれぞれを、前記複数の部分領域のそれぞれに関する画像データとして、前記第１のアプリケーションから前記第２のアプリケーションに送出し、前記受取手段は、前記複数の拡張部分画像データのそれぞれに関する前記少なくとも１つの処理の各処理結果を前記第２のアプリケーションから受け取り、前記生成手段は、前記各処理結果からそれぞれ前記各識別情報を抽出し、前記各処理結果に対応する各部分領域を前記各識別情報に基づいてそれぞれ識別し、前記各処理結果から前記各識別情報をそれぞれ除いたテキスト情報を、識別された前記各部分領域の検出位置に配置して、前記電子文書を生成することを特徴とする。
【手続補正１３】
【補正対象書類名】明細書
【補正対象項目名】００２２
【補正方法】変更
【補正の内容】
【００２２】
請求項８の発明は、請求項２ないし請求項６のいずれかの発明に係る通信端末において、前記指示送出手段は、前記複数の部分領域のそれぞれに関する画像データである複数のデータファイルのそれぞれに、互いに異なる識別情報を含む固有のファイル名を付し、当該複数のデータファイルを前記第１のアプリケーションから前記第２のアプリケーションに送出し、前記受取手段は、前記複数のデータファイルのそれぞれに関する前記少なくとも１つの処理の各処理結果を複数の新たなデータファイルとして、前記第２のアプリケーションから受け取り、前記複数の新たなデータファイルのファイル名は、前記複数のデータファイルのうち対応するデータファイルのファイル名に付された前記識別情報をその一部に含み、前記生成手段は、前記複数の新たなデータファイルのファイル名に含まれる前記識別情報に基づいて、前記各処理結果に対応する各部分領域を識別し、前記各処理結果に係るテキスト情報を、前記各処理結果に対応する前記各部分領域の検出位置に配置して、前記電子文書を生成することを特徴とする。
【手続補正１４】
【補正対象書類名】明細書
【補正対象項目名】００２３
【補正方法】変更
【補正の内容】
【００２３】
請求項９の発明は、請求項２ないし請求項８のいずれかの発明に係る通信端末において、前記生成手段は、前記複数の部分領域のそれぞれについての前記処理結果に係るテキスト情報を、前記複数の部分領域のそれぞれの検出位置に非表示状態で埋め込んで、前記電子文書を生成することを特徴とする。
【手続補正１５】
【補正対象書類名】明細書
【補正対象項目名】００２４
【補正方法】変更
【補正の内容】
【００２４】
請求項１０の発明は、請求項２ないし請求項８のいずれかの発明に係る通信端末において、前記生成手段は、前記スキャン画像における文字領域の画像を削除するとともに、前記複数の部分領域のそれぞれについての前記処理結果に係るテキスト情報を、前記複数の部分領域のそれぞれの検出位置に表示状態で埋め込んで、前記電子文書を生成することを特徴とする。
【手続補正１６】
【補正対象書類名】明細書
【補正対象項目名】００２５
【補正方法】変更
【補正の内容】
【００２５】
請求項１１の発明は、請求項２ないし請求項８のいずれかの発明に係る通信端末において、前記少なくとも１つの処理は、光学文字認識処理と当該光学文字認識処理の結果に対する翻訳処理とを含む複数の処理であり、前記生成手段は、前記スキャン画像における文字領域の画像を削除するとともに、前記複数の部分領域のそれぞれについての前記処理結果である翻訳結果に係るテキスト情報を、前記複数の部分領域のそれぞれの検出位置に表示状態で埋め込んで、前記電子文書を生成することを特徴とする。
【手続補正１７】
【補正対象書類名】明細書
【補正対象項目名】００２６
【補正方法】変更
【補正の内容】
【００２６】
請求項１２の発明は、請求項２ないし請求項１１のいずれかの発明に係る通信端末において、前記第２のアプリケーションは、前記画像形成装置とも前記通信端末とも異なる外部装置にインストールされていることを特徴とする。
【手続補正１８】
【補正対象書類名】明細書
【補正対象項目名】００２７
【補正方法】変更
【補正の内容】
【００２７】
請求項１３の発明は、請求項２ないし請求項１１のいずれかの発明に係る通信端末において、前記第２のアプリケーションは、前記第１のアプリケーションとともに前記通信端末にインストールされていることを特徴とする。
【手続補正１９】
【補正対象書類名】明細書
【補正対象項目名】００２８
【補正方法】変更
【補正の内容】
【００２８】
請求項１４の発明は、画像形成装置と通信可能な通信端末に内蔵されたコンピュータにおいて、前記画像形成装置から受信したスキャン画像に基づく電子文書の生成処理を実行させるためのプログラムであって、前記プログラムは、前記コンピュータに、ａ）前記画像形成装置で生成された前記スキャン画像を取得するステップと、ｂ）前記スキャン画像の文字領域から部分領域を抽出するステップと、ｃ）前記スキャン画像内における前記部分領域の位置を検出するステップと、ｄ）前記部分領域に関して電子文書生成に関連する少なくとも１つの処理を行うべき旨の指示と前記部分領域に関する画像データとを、前記プログラムである第１のアプリケーションから前記第１のアプリケーションとは別の第２のアプリケーションに送出するステップと、ｅ）前記少なくとも１つの処理の処理結果を前記第２のアプリケーションから受け取るステップと、ｆ）前記部分領域についての前記処理結果に係るテキスト情報を前記部分領域の検出位置に配置するステップと、ｇ）前記スキャン画像の前記文字領域内の複数の部分領域に関して前記ステップｂ）〜ｆ）を実行することによって、前記電子文書を生成するステップと、を実行させ、前記ステップｇ）においては、前記文字領域における複数行のうちの注目行内において複数の小領域が抽出されるとともに、当該複数の小領域を互いに異なる部分領域として区別して前記複数の部分領域が抽出されることを特徴とする。
【手続補正２０】
【補正対象書類名】明細書
【補正対象項目名】００２９
【補正方法】削除
【補正の内容】
【手続補正２１】
【補正対象書類名】明細書
【補正対象項目名】００３０
【補正方法】削除
【補正の内容】
【手続補正２２】
【補正対象書類名】明細書
【補正対象項目名】００３１
【補正方法】削除
【補正の内容】
【手続補正２３】
【補正対象書類名】明細書
【補正対象項目名】００３２
【補正方法】変更
【補正の内容】
【００３２】
請求項１５の発明は、請求項１４の発明に係るプログラムにおいて、前記ステップｂ）においては、前記文字領域における複数行のうちの注目行に関して、前記注目行内における注目文字と前記注目文字の直後の文字との間隔である第１の間隔が、前記注目行に隣接する隣接行と前記注目行との間隔である第２の間隔よりも所定程度を超えて大きい場合には、前記注目文字を含む小領域と前記注目文字の直後の文字を含む小領域とが互いに異なる部分領域として抽出されることを特徴とする。
【手続補正２４】
【補正対象書類名】明細書
【補正対象項目名】００３３
【補正方法】変更
【補正の内容】
【００３３】
請求項１６の発明は、請求項１４の発明に係るプログラムにおいて、前記ステップｂ）においては、前記文字領域における複数行のうちの注目行に関して、前記注目行内における注目文字と前記注目文字の直後の文字との間隔である第１の間隔が、前記注目文字と前記注目文字の直前の文字との間隔である第２の間隔よりも所定程度を超えて大きい場合には、前記注目文字と前記注目文字の直前の文字とを含む小領域と、前記注目文字の直後の文字を含む小領域とが、互いに異なる部分領域として抽出されることを特徴とする。
【手続補正２５】
【補正対象書類名】明細書
【補正対象項目名】００３４
【補正方法】変更
【補正の内容】
【００３４】
請求項１７の発明は、請求項１４の発明に係るプログラムにおいて、前記ステップｂ）においては、前記文字領域における複数行のうちの注目行に関して、前記注目行内における注目文字のサイズと前記注目文字の直後の文字のサイズとが所定程度を超えて異なる場合には、前記注目文字を含む小領域と前記注目文字の直後の文字を含む小領域とが互いに異なる部分領域として抽出されることを特徴とする。
【手続補正２６】
【補正対象書類名】明細書
【補正対象項目名】００３５
【補正方法】変更
【補正の内容】
【００３５】
請求項１８の発明は、請求項１４の発明に係るプログラムにおいて、前記ステップｂ）においては、前記文字領域における複数行のうちの注目行に関して、前記注目行内における注目文字の行方向に垂直な第１の方向における位置と前記注目文字の直後の文字の前記第１の方向における位置とが所定程度を超えてずれている場合には、前記注目文字を含む小領域と前記注目文字の直後の文字を含む小領域とが互いに異なる部分領域として抽出されることを特徴とする。
【手続補正２７】
【補正対象書類名】明細書
【補正対象項目名】００３６
【補正方法】削除
【補正の内容】
【手続補正２８】
【補正対象書類名】明細書
【補正対象項目名】００３７
【補正方法】変更
【補正の内容】
【００３７】
請求項１９の発明は、請求項１４ないし請求項１８のいずれかの発明に係るプログラムにおいて、前記ステップｄ）は、ｄ−１）前記部分領域の画像データである部分画像データに前記部分領域の識別情報を画像化して付加した拡張部分画像データを生成するステップと、ｄ−２）前記拡張部分画像データを、前記部分領域に関する画像データとして、前記第１のアプリケーションから前記第２のアプリケーションに送出するステップと、を有し、前記ステップｅ）は、ｅ−１）前記拡張部分画像データに関する前記少なくとも１つの処理の処理結果を前記第２のアプリケーションから受け取るステップ、を有し、前記ステップｆ）は、ｆ−１）前記処理結果から前記識別情報を抽出するステップと、ｆ−２）前記処理結果に対応する部分領域である対応部分領域を前記識別情報に基づいて識別するステップと、ｆ−３）前記処理結果から前記識別情報を除いたテキスト情報を、前記対応部分領域の検出位置に配置するステップと、を有することを特徴とする。
【手続補正２９】
【補正対象書類名】明細書
【補正対象項目名】００３８
【補正方法】変更
【補正の内容】
【００３８】
請求項２０の発明は、請求項１４ないし請求項１８のいずれかの発明に係るプログラムにおいて、前記ステップｄ）は、ｄ−１）前記部分領域に関する画像データのデータファイルに、互いに異なる識別情報を含む固有のファイル名を付するステップと、ｄ−２）前記データファイルを前記第１のアプリケーションから前記第２のアプリケーションに送出するステップと、を有し、前記ステップｅ）は、ｅ−１）前記データファイルに関する前記少なくとも１つの処理の処理結果を新たなデータファイルとして、前記第２のアプリケーションから受け取るステップ、を有し、前記新たなデータファイルのファイル名は、前記新たなデータファイルに対応する前記データファイルのファイル名に付された前記識別情報をその一部に含み、前記ステップｆ）は、ｆ−１）前記新たなデータファイルのファイル名から前記識別情報を抽出するステップと、ｆ−２）前記ステップｆ−１）で抽出された前記識別情報に基づいて、前記処理結果に対応する部分領域である対応部分領域を識別するステップと、ｆ−３）前記処理結果に係るテキスト情報を、前記対応部分領域の検出位置に配置するステップと、を有することを特徴とする。
【手続補正３０】
【補正対象書類名】明細書
【補正対象項目名】００３９
【補正方法】変更
【補正の内容】
【００３９】
請求項２１の発明は、請求項１４ないし請求項２０のいずれかの発明に係るプログラムにおいて、前記ステップｇ）においては、前記複数の部分領域のそれぞれに関する前記少なくとも１つの処理の各処理結果に係るテキスト情報が、前記複数の部分領域のそれぞれの検出位置に非表示状態で埋め込まれて前記電子文書が生成されることを特徴とする。
【手続補正３１】
【補正対象書類名】明細書
【補正対象項目名】００４０
【補正方法】変更
【補正の内容】
【００４０】
請求項２２の発明は、請求項１４ないし請求項２０のいずれかの発明に係るプログラムにおいて、前記ステップｇ）においては、前記スキャン画像における前記文字領域の画像が削除されるとともに、前記複数の部分領域のそれぞれに関する前記少なくとも１つの処理の各処理結果に係るテキスト情報が、前記複数の部分領域のそれぞれの検出位置に表示状態で埋め込まれて、前記電子文書が生成されることを特徴とする。
【手続補正３２】
【補正対象書類名】明細書
【補正対象項目名】００４１
【補正方法】変更
【補正の内容】
【００４１】
請求項２３の発明は、請求項１４ないし請求項２０のいずれかの発明に係るプログラムにおいて、前記少なくとも１つの処理は、光学文字認識処理と当該光学文字認識処理の結果に対する翻訳処理とを含む複数の処理であり、前記ステップｇ）においては、前記スキャン画像における文字領域の画像が削除されるとともに、前記複数の部分領域のそれぞれに関する前記少なくとも１つの処理の各処理結果である翻訳結果に係るテキスト情報が、前記複数の部分領域のそれぞれの検出位置に表示状態で埋め込まれて、前記電子文書が生成されることを特徴とする。
【手続補正３３】
【補正対象書類名】明細書
【補正対象項目名】００４２
【補正方法】変更
【補正の内容】
【００４２】
請求項２４の発明は、請求項１４ないし請求項２３のいずれかの発明に係るプログラムにおいて、前記第２のアプリケーションは、前記画像形成装置とも前記通信端末とも異なる外部装置にインストールされていることを特徴とする。
【手続補正３４】
【補正対象書類名】明細書
【補正対象項目名】００４３
【補正方法】変更
【補正の内容】
【００４３】
請求項２５の発明は、請求項１４ないし請求項２３のいずれかの発明に係るプログラムにおいて、前記第２のアプリケーションは、前記第１のアプリケーションとともに前記通信端末にインストールされていることを特徴とする。
【手続補正３５】
【補正対象書類名】明細書
【補正対象項目名】００４４
【補正方法】変更
【補正の内容】
【００４４】
請求項２６の発明は、電子文書生成システムであって、原稿のスキャン画像を生成するとともに、第１のアプリケーションを実行することによって、前記スキャン画像に基づき電子文書を生成する画像形成装置と、第２のアプリケーションによるサービスを提供する外部サーバと、を備え、前記画像形成装置は、前記スキャン画像を生成する生成手段と、前記スキャン画像の文字領域から複数の部分領域を抽出する抽出手段と、前記スキャン画像内における前記複数の部分領域の位置をそれぞれ検出する検出手段と、電子文書生成に関連する少なくとも１つの処理を前記複数の部分領域のそれぞれに関して行うべき旨の指示と前記複数の部分領域のそれぞれに関する画像データとを、前記第１のアプリケーションから第２のアプリケーションに送出する指示送出手段と、前記複数の部分領域のそれぞれに関する前記少なくとも１つの処理の各処理結果を前記第２のアプリケーションから受け取る受取手段と、前記各処理結果に係るテキスト情報を、前記各処理結果にそれぞれ対応する部分領域の検出位置に配置して、前記電子文書を生成する生成手段と、を有し、前記抽出手段は、前記文字領域における複数行のうちの注目行内において複数の小領域を抽出し、当該複数の小領域を互いに異なる部分領域として区別して前記複数の部分領域を抽出することを特徴とする。
【手続補正３６】
【補正対象書類名】明細書
【補正対象項目名】００４５
【補正方法】変更
【補正の内容】
【００４５】
請求項２７の発明は、原稿のスキャン画像を生成するとともに、第１のアプリケーションを実行することによって、前記スキャン画像に基づき電子文書を生成する画像形成装置であって、前記スキャン画像を生成する生成手段と、前記スキャン画像の文字領域から複数の部分領域を抽出する抽出手段と、前記スキャン画像内における前記複数の部分領域の位置をそれぞれ検出する検出手段と、電子文書生成に関連する少なくとも１つの処理を前記複数の部分領域のそれぞれに関して行うべき旨の指示と前記複数の部分領域のそれぞれに関する画像データとを、前記第１のアプリケーションから、外部サーバにて実行される第２のアプリケーションに送出する指示送出手段と、前記複数の部分領域のそれぞれに関する前記少なくとも１つの処理の各処理結果を前記第２のアプリケーションから受け取る受取手段と、前記各処理結果に係るテキスト情報を、前記各処理結果にそれぞれ対応する部分領域の検出位置に配置して、前記電子文書を生成する生成手段と、を備え、前記抽出手段は、前記文字領域における複数行のうちの注目行内において複数の小領域を抽出し、当該複数の小領域を互いに異なる部分領域として区別して前記複数の部分領域を抽出することを特徴とする。
【手続補正３７】
【補正対象書類名】明細書
【補正対象項目名】００４６
【補正方法】変更
【補正の内容】
【００４６】
請求項１ないし請求項２７に記載の発明によれば、電子文書生成に関連する少なくとも１つの処理を第１のアプリケーションから第２のアプリケーションに対して依頼する場合において、第２のアプリケーションから取得した処理結果に係るテキスト情報を元のスキャン画像内の適切な位置に配置することが可能である。